Podtech/llm-jp-corpus-v4-ja_patent huggingface dataset:
(57)【要約】      （修正有）【課題】積算熱量計内蔵太陽熱蓄熱槽により太陽熱システムの真の効果を把握できるようにする。【解決手段】太陽熱蓄熱槽に出湯熱量を測るための給水温度センサーと出湯温度センサーと流量計を取り付け、これらを積算熱量計本体に配線接続することで構成された積算熱量計を蓄熱槽本体に内蔵した積算熱量計内蔵太陽熱蓄熱槽により、蓄熱槽からの出湯熱量を計測できるようになり、これを換算する事により燃料の節約量、節約金額、ＣＯ２削減量を求めることができるようになる。【選択図】図２
0003140747.tif 000002
【実用新案登録請求の範囲】
【請求項１】
太陽熱を貯湯する貯湯槽を内蔵する太陽熱蓄熱槽（以下蓄熱槽）において、
貯湯槽の給水配管に給水温度センサーを取り付け、
貯湯槽の出湯配管に出湯温度センサーを取り付け、
貯湯槽の出湯または給水配管に出湯量を計測する為の流量計を取り付け、
これらを積算熱量計本体に配線接続することで構成された積算熱量計を蓄熱槽に内蔵したことを特徴とする積算熱量計内蔵太陽熱蓄熱槽。
【考案の詳細な説明】
【考案の詳細な説明】
【技術分野】
【０００１】  この考案は、太陽熱を貯湯する太陽熱蓄熱槽に関するものである。
【背景技術】
【０００２】  従来の技術は図１のごとく、太陽集熱器１で暖められたお湯はポンプ４で循環し、蓄熱槽２内部の貯湯槽３に蓄えられる構造となっている。
出湯配管６に接続された水栓器具８を開くと、給水配管５から水が水圧で供給され、同量のお湯が貯湯槽３から出湯配管６を経由して出湯する構造となっていた。
太陽熱システムの性能情報は貯湯槽３の上部に取り付けられた温度センサー９により貯湯温度を表示する温度モニター７もしくは貯湯槽の集熱量を計測表示するものであった。
【特許文献１】特開２００３−１６１５１３（第１頁、第１図）
【特許文献２】特開２００２−１８１３９３（第１頁、第１図）
【問題が解決しようとする課題】
【０００３】  しかしながらこの温度モニター７では、出湯温度の表示あるいは集熱量であり、実際に貯湯槽から出湯した真の出湯熱量を計測するものではなく、太陽熱システム性能の目安程度にしかならなかった。このため、太陽熱システムを設置しても、
▲１▼太陽熱による真の出湯熱量が不明である。
▲２▼太陽熱による節約燃料の量が不明である。
▲３▼太陽熱による節約金額が不明である。
▲４▼太陽熱設備の償却が出来たのか不明である。
▲５▼太陽熱設備によるＣＯ２の削減量が不明である。
というように太陽熱の真の効果を知る手段がなかった。
これでは、消費者の太陽熱システムに対するユーザーの満足度が低く、その普及を妨げる大きな要因となっていた。
【問題を解決するための手段】
【０００４】  本考案は、上記課題を、
太陽熱を貯湯する貯湯槽を内蔵する太陽熱蓄熱槽（以下蓄熱槽）において、
貯湯槽の給水配管に給水温度センサーを取り付け、
貯湯槽の出湯配管に出湯温度センサーを取り付け、
貯湯槽の出湯または給水配管に出湯量を計測する為の流量計を取り付け、
これらを積算熱量計本体に配線接続することで構成された積算熱量計を蓄熱槽に内蔵したことを特徴とする積算熱量計内蔵太陽熱蓄熱槽により解決しようとするものである。
【考案を実施するための最良の形態】
【０００５】  本考案による蓄熱槽２の形態について説明すると、図２のごとく、貯湯槽３の給水配管５に給水温度センサーＤを取り付け、出湯配管６に出湯温度センサーＡと流量計Ｂを取り付け、これらを積算熱量計本体Ｃに配線接続することで構成された積算熱量計を蓄熱槽２に内蔵することにより積算熱量計内蔵太陽熱蓄熱槽を完成することができるようになる。
【実施例】
【０００６】  実施例としては、図２のごとく、
貯湯槽３の給水配管５を通過する給水温度を計測できるように給水温度センサーＤを取り付ける、
貯湯槽３の出湯配管６に通過する出湯温度を計測するための出湯温度センサーＡと出湯量を計測するための流量計Ｂを取り付ける、
これらを積算熱量計本体Ｃに配線接続した積算熱量計を蓄熱槽２に内蔵する。
積算熱量計本体Ｃで、毎秒、出湯温度と給水温度と出湯量を計測し、
温度差（温度差＝（出湯温度−給水温度））を求め、
瞬間熱量（瞬間熱量＝温度差×出湯量）を求め、
この秒毎の瞬間熱量を加算累積し、積算熱量値として熱量計本体Ｃ内に保存する。
この積算熱量値は真の出湯熱量であり、通常Ｋｃａｌ（キロカロリー）で計算されるがＫＪ（キロジュール）に単位変換することもできる。【０００７】  この積算熱量値をエネルギー別標準発熱量で除すると代替エネルギー量を求めることが出来るようになる。
【参考文献】
資源エネルギー庁総合政策課  エネルギー源別標準発熱量
この代替エネルギー量にエネルギー別単価を乗する事により節約金額を求めることが出来るようになる。
この代替エネルギー量にエネルギー別ＣＯ２発生換算値を乗する事によりＣＯ２削減量を求めることが出来るようになる。
【参考文献】
環境省  温室効果ガス排出係数
積算熱量値を定期的に取得する事により前回積算熱量値と今回積算熱量値の差を今回の出湯熱量として求めることが出来、この期間の出湯熱量、代替エネルギー量、節約金額、ＣＯ２の削減量を求めることが出来るようになる。
【考案の効果】
【０００８】  本考案による積算熱量計内蔵太陽熱蓄熱槽により、真の出湯熱量を計測できるようになる。
これにより、
▲１▼太陽熱出湯熱量を数字で把握することができるようになる。
▲２▼太陽熱出湯熱量をエネルギー別標準発熱量で除する事により代替エネルギー量を求めることができるようになる。
▲３▼代替エネルギー量に燃料単価を乗する事により節約金額を求めることができるようになる
▲４▼設備費用を節約金額で除することにより、何年で償却できたか明確になる。
▲５▼太陽熱出湯熱量にエネルギー別ＣＯ２発生換算値を乗ずることによりＣＯ２の削減量を求めることが出来るようになる。
こうして従来の課題の全てを解決できるようになり、消費者が安心して太陽熱給湯システムを設置することが出来る様になる。また、経済効果とＣＯ２削減効果が明らかになるので太陽熱システムを普及することができるようになる。
【図面の簡単な説明】
【図１】従来の太陽熱蓄熱槽のシステム図である。
【図２】本考案の積算熱量計内蔵太陽熱蓄熱槽のシステム図である。
【符号の説明】
１  太陽集熱器
２  太陽熱蓄熱槽
３  貯湯槽
４  集熱ポンプ
５  給水配管
６  給湯配管
７  温度モニター
８  水栓器具
９  温度センサー
Ａ  出湯温度センサー
Ｂ  流量計
Ｃ  積算熱量計本体
Ｄ  給水温度センサー
【図１】
0003140747.tif 000003
【図２】
0003140747.tif 000004
(57)【要約】【課題】一般的に広範囲で用いられている球形物用の格納容器は使い捨てや、平面状のものがほとんどで収納空間の上部が無駄になっている場合が目立つ。これを解決する為に縦方向の空間を整理して効率よく使用し、繰り返し使用可能な格納容器を提供することにある。【解決手段】達磨型容器の頭と胴体の直径が等しい達磨型を連続させ底の平面を残して縦の中央に切り込みを入れ容器の先端にネジ型キャップを設けて底を折り曲げてキャップを取り外す事により達磨型容器が縦方向に開閉できる形状にし、縦方向の空いて無駄になりやすくなる空間を有効に使えるようにした。【選択図】図１
0003140705.tif 000002
【実用新案登録請求の範囲】
【請求項１】
達磨型容器の頭と胴体の直径が等しい達磨型を連続させ底の平面を残して縦の中央に切り込みを入れ容器の先端にネジ型キャップを設けて底を折り曲げてキャップを取り外す事により達磨型容器が縦方向に開閉できる形状にした事を特徴とする達磨型格納容器。
【請求項２】
請求項１の底の平面の部分に開閉用の丁番を取り付け繰り返し使用可能な構造にした事を特徴とする達磨型格納容器。
【請求項３】
請求項１の容器を透明にする事により中の格納物の確認を可能にして格納物に傷が付かないように帯状の保護シートを貼り付けた事を特徴とする達磨型格納容器。
【考案の詳細な説明】
【技術分野】
【０００１】
本考案は、球形物を整理して効率よく繰り返し使用できる格納容器の形状と構造に関するものである。
【背景技術】
【０００２】
従来、一般的に広範囲で用いられている球形物の格納容器は使い捨てや平面状のものが多く空間の使用効率が悪く不透明な材料を使用している為、中の状態はふたを開けてみなければ分からず、繰り返し使用できるものはほとんどなかった。
【０００３】
【特許文献１】特開２００５−１２６１２３号
【特許文献２】特開２００１−１１４３６２号
【考案の開示】
【考案が解決しようとする課題】
【０００４】
一般的に広範囲で用いられている球形物用の格納容器は使い捨てや、平面状のものがほとんどで収納空間の上部が無駄になっている場合が目立つ。これを解決する為に縦方向の空間を整理して効率よく使用し、繰り返し使用可能な格納容器を提供することにある。
【課題を解決するための手段】
【０００５】
達磨型容器の頭と胴体の直径が等しい達磨型を連続させ底の平面を残して縦の中央に切り込みを入れ容器の先端にネジ型キャップを設けて底を折り曲げてキャップを取り外す事により達磨型容器が縦方向に開閉できる形状にし、縦方向の空いて無駄になりやすくなる空間を有効に使えるようにした。
【０００６】
達磨型の底の平面の部分に開閉用の丁番を取り付け繰り返し使用可能な構造にする事により無駄をなくした。
【０００７】
達磨型容器を透明にして常に格納物の状態が確認可能で内面を格納物に傷が付かないように帯状の保護シートを貼り付け格納物の状態が常に確認可能にするとともに保護する。
【考案の効果】
【０００８】
本考案の達磨型格納容器は球形である格納物を整理し、狭い空間を縦方向に効率よく利用できる。
【０００９】
底の平面に丁番を取り付ける事により、球形の直径が一定の値であれば格納物がどんな物でも繰り返し使用できる。
【００１０】
ふたを開けないで中の格納状態が分かるとともに保護ができる。
【考案を実施するための最良の形態】
【００１１】
上下同じ直径の達磨型を連続させた形状をした球形物の格納容器を提供することにより縦方向の空間を効率よく使用することを実現した。
【実施例１】
【００１２】
以下、添付図面に従って本考案の実施例について説明する。図１は、本考案の達磨型格納容器階の側面図である。１は右側容器本体、２は底の平面部（丁番付）、３は左側容器本体、５はキャップである。この図は球体物が格納されキャップで閉じて保管されようとしている状態を示している。
【００１３】
図２は本考案の達磨型格納容器を開けた状態を示し、キャップを取れば簡単に格納物の格納、取り出しが出来る事を示している。尚、符号１〜３は図１と同様である。
【００１４】
図３は本考案の達磨型格納容器の断面を示し、格納物は保護用帯により確実に保護されている事を示している。符号１〜３は図１と同様で４は格納物保護用帯を示す。
【００１５】
図４は図３に表示した本考案の達磨型格納容器のＡ−Ａ断面を示し保護用帯を使用することにより格納物が外側から見えなくなる事を防いでいる事を示している。
【産業上の利用可能性】
【００１６】
以上述べたように、本考案の達磨型格納容器は冷蔵庫やタンス、押入れや倉庫等の縦方向の無駄になっている空間を整理して有効に使用し、格納した容器の中が常に外側から確認でき、この格納容器は長期間にわたり繰り返し使用できる。
【図面の簡単な説明】
【００１７】
【図１】本考案の達磨型格納容器の側面図である。
【図２】本考案の達磨型格納容器を開けた状態を示している。
【図３】本考案の達磨型格納容器の断面を示している。
【図４】本考案の達磨型格納容器のＡ−Ａ断面を示している。
【符号の説明】
【００１８】
１    達磨型格納容器の右側本体
１ａ 
右側本体のキャップ取付け口
２    丁番を取り付けた底板
３    達磨型石納容器の左側本体
３ａ  左側本体のキャップ取付け口
４    保護用帯
５    キャップ
【図１】
0003140705.tif 000003
【図２】
0003140705.tif 000004
【図３】
0003140705.tif 000005
【図４】
0003140705.tif 000006
(57)【要約】      （修正有）【課題】竣工写真が表面にプリントされた複数のシートとシートの各一辺が互いに結合してなる綴じ部とからなることを特徴とする竣工アルバムを提供する。【解決手段】紙、樹脂、プラスチック、布、革、木又は金属などの材質からなる１のシートで構成され製本技術を利用し、シートの中に物を出し入れ可能なシート４やシートの綴じ部２以外の一辺にシートを継ぎたした折り曲げシート３を広げて使用したり、シートの爪部に書類などをはさみ使用し、ポケット部には書類などを入れて使用する。【選択図】図１
0003140706.tif 000002
【実用新案登録請求の範囲】
【請求項１】
竣工写真が表面にプリントされた複数のシートと該シートの各一辺が互いに結合してなる綴じ部とからなることを特徴とする竣工アルバム。
【請求項２】
前記シートの少なくとも一綴じ部以外の他辺に折り曲げシートが設けられていることを特徴とする請求項１記載の竣工アルバム。
【請求項３】
前記シートの少なくとも一つの中に収納部を有することを特徴とする請求項１又は請求項２記載の竣工アルバム。
【請求項４】
前記シートの少なくとも一つに書類取り付け手段を有することを特徴とする請求項１、２又は３記載の竣工アルバム。
【考案の詳細な説明】
【技術分野】
【０００１】本考案は竣工写真がプリントされた竣工アルバムに関する。
【背景技術】
【０００２】撮影された竣工写真をアルバムシートに貼り付けるか、シートの上に撮影された竣工写真を配置した後に透明のカバーをしてずれや汚れを防止したものである。
【考案の開示】
【考案が解決しようとする課題】
【０００３】背景技術によりこれまでは撮影済み写真の紙焼き作業が必要であり、貼る作業時に垂直線や角度及びシートの余白のバランス調整に手間がかかりシート全てを統一するのが困難である。又、写真と透明カバーの間に空気が入り時間の経過と共に剥がれたりずれたりする、しかもアルバムの重量もあり嵩張る。
【課題を解決するための手段】
【０００４】本考案は上記課題に鑑みてなされたもので、竣工写真が表面にプリントされた複数のシートと該シートの各一辺が互いに結合してなる綴じ部とからなることを特徴とする竣工アルバムである。【０００５】本考案は紙、樹脂、プラスチック、布、革、木又は金属などからなるシートに竣工写真をプリントしたものであり、シートを広げてプリント面積を大きくしたり、シートの中を空洞にして収納スペースを設けることによってより機能的になる。
【課題の実施の形態】
【０００６】図１は本考案に係わる竣工アルバムの斜視図である。１はシートであり２は綴じ部であり、図１で示すように製本の形態を持つシートとは紙、樹脂、プラスチック、布、革、木又は金属などを用いることが出来る。
【０００７】図１に示すようにシートの一辺に請求項２の折り曲げシート３を設け、たたんだり広げたり出来る。
【０００８】図１に示すように、製本形態を持つシートの内部に収納部４を設け、その中に例えば、写真や書類を収納出来る。
【０００９】本考案における書類取り付け手段として、例えば、図２に示すように、シート５の数カ所を爪６として利用し、写真や書類を挟むことが出来る。
【００１０】書類取り付け手段の他の例として、図３に示すように、シート７の一部にポケット８を設け、写真や書類を収納することが出来る。
【図面の簡単な説明】
【００１１】
【図１】本考案に係わる全体図を示す斜視図で、折り曲げシート、収納部シート付きである。
【図２】シートに爪部を設けた。
【図３】シートにポケットを設けた。
【符号の説明】
【００１２】１．シート
２．綴じ部
３．折り曲げシート
４．収納シート
５．爪シート
６．爪
７．ポケットシート
８．ポケット
【図１】
0003140706.tif 000003
【図３】
0003140706.tif 000004
【手続補正書】
【提出日】平成20年1月29日(2008.1.29)
【手続補正１】
【補正対象書類名】図面
【補正対象項目名】全図
【補正方法】変更
【補正の内容】
【図１】
0003140706.tif 000005
【図２】
0003140706.tif 000006
【図３】
0003140706.tif 000007
(57)【要約】      （修正有）【課題】マヨネーズの中身が少なくなってもマヨネーズの中身が酸化しくくなる容器の提供。【解決手段】マヨネーズ容器を可撓性のない薄い中袋と、可撓性の分厚い外袋（外側容器）の二重袋とし、外側容器に空気穴を開け、外側容器と薄い袋の間に空気が入ることにより、二重袋の間に空気の層ができることで、マヨネーズの中身が空気に触れにくくなる。【選択図】図１
0003140710.tif 000002
【実用新案登録請求の範囲】
【請求項００１】
従来の可撓性のマヨネーズ容器の中に、可撓性のないポリエチレン、ポリプロピレンなどの薄い食品用袋を入れ、外側容器に空気穴を開けた、酸化防止マヨネーズ、マーガリン容器。
【考案の詳細な説明】
【考案の詳細な説明】
従来のマヨネーズ容器は一重のため、マヨネーズの中身が少なくなると容器の内部に空気が入り、マヨネーズの中身が酸化しやすくなっていたが、可撓性の無い薄い袋と、分厚い可撓性の外袋（外側容器）の二重容器とし、マヨネーズは可撓性のない袋のなかに注入し、外側容器に空気穴を開け、外側容器と薄い袋の間に空気が入るようにすれば、二重袋の間に空気の層ができ、マヨネーズの中身が空気に触れにくくなるために、酸化しにくくなると考案した。
【図面の簡単な説明】
【図１】は本考案に係る酸化防止マヨネーズ容器２４２４の断面図である。
【符号の説明】
１  外側容器
２  薄い袋
３  空気穴
４  マヨネーズ
５  出し口
【図１】
0003140710.tif 000003
(57)【要約】      （修正有）【課題】電子レンジで袋に入れた液体を凍結したものを解凍過熱すると、袋が膨張する。膨張した袋が爆発するのを防ぐため袋口に安全弁を設置し、袋が膨張すると、袋口に設置されている安全弁が作動する。安全弁の作動にともない袋口は開く。開いた袋口より、袋内の液体が外に流れ出ないようにする。【解決手段】袋の破れた安全弁のある袋口部分を袋本体より高い位置に保持するため、縦板部Ｄに、袋本体を袋口に設置されている安全弁が袋本体より上にくるように置き、袋口を袋口両端を挟む部分Ｂに挟んで解凍、加熱する。【選択図】図１
0003140707.tif 000002
【実用新案登録請求の範囲】
【請求項１】
床板部と縦板部を有し床板部は袋を裁置できるようにしてあり、縦板部は、袋の袋口を床部上に置かれている袋本体より上部に保持するための袋口挟み部を有していることを特徴とした電子レンジ解凍、加熱用袋を置く台。
【考案の詳細な説明】
【技術分野】
【０００１】  本考案は、袋に液体を入れ凍結し、その袋をレンジ内で解凍、加熱することにより、袋が膨張し、袋口に設置されている安全弁が、作動し、袋口が開くことにより、袋内の液体が流出しないようにすることに関するもの。
【背景技術】
【０００２】  電子レンジで液体を凍結し、それを密閉した袋に入れ、解凍、加熱すると、袋が膨張し破れるのを防ぐため、安全弁の付いた袋が市販されている。
【考案の開示】
【考案が解決しようとする課題】
【０００３】  解決しようとする問題点は、安全弁が作動し、袋口が開くと、袋口から中の液体が流出するのを防ぐ。
【課題を解決するための手段】
【０００４】  床板部と縦板部を有する台を作り、床板部は、袋を裁置できるようにしてあり、縦板部は、袋の袋口を床板部に置かれている袋より上方に保置するための挟み部を有している。
【考案の効果】
【０００５】  本考案の台上に置いた袋の口より液体が流出しないように、袋口部分を袋本体より高い位置に保置してあるため液体の流出がない。
【考案を実施するための最良の形態】
【０００６】  台は床板部と縦板部を有し、床板部は袋を裁置できるようにしてあり、縦板部は、袋口を床板部に置いた袋本体より、上方保持するための袋口挟み部を有している。
【実施例】
【０００７】  図１は、本考案の側面図であり、ＢにＦのＧ部を挟み、ＦはＣ上に裁置する。【０００８】  図２は前面図で、Ｂ・Ｃは、Ａで折り曲げてある。【０００９】  図３の点線Ａは、折り曲げる場所。【００１０】  袋口の安全弁Ｅが作動して、破れても袋の両端Ｇ部がＢ部に挟まれているため、袋口は下に落ちず、ＧはＦより高い位置にあるため液は流れ出ない。
【産業上の利用可能性】
【００１１】  袋口より液体が流れ出なくなり、煮汁の多い煮物料理を解凍、加熱することが可能になる、煮汁の多い煮物は、容器に入れ、解凍、加熱していたが、袋に入れたまま、解凍、加熱できるようになり、容器よりも袋が安いため、安価に煮物が提供できる。
【図面の簡単な説明】
【００１２】
【図１】側面図
【図２】前面図
【図３】展開図
【図４】袋前面図
【符号の説明】
【００１３】  Ａ、本体折り曲げる線
Ｂ、袋口両端を挟む部分
Ｃ、床板部、袋本体がのる部
Ｄ、縦板部、袋口両端Ｇを挟むためＢがついている
Ｅ、袋に付いている安全弁
Ｆ、袋本体
Ｇ、袋の両端、安全弁の外側
【図１】
0003140707.tif 000003
【図２】
0003140707.tif 000004
【図３】
0003140707.tif 000005
【図４】
0003140707.tif 000006
(57)【要約】【課題】  本考案は、ネイルの施術に使用するアルミホイルのデザイン性をアップし、ネイルサロンのイメージアップとネイリストのモチベーションアップを図る。【解決手段】  予め適切な大きさに裁断したアルミホイルにカラーやデザインを施した透明フィルムを貼り付ける。【選択図】図１
0003140708.tif 000002
【実用新案登録請求の範囲】
【請求項１】
ネイルジェルの施術用に適切な大きさに裁断したアルミホイルに、透明フィルムを貼り合わせ、カラーやデザインを付けられるようにしたアルミホイル。
【考案の詳細な説明】
【技術分野】
【０００１】
本考案は、ネイルジェルを施術する際に使用するプレカットアルミホイル（適切な大きさに裁断したアルミホイル）に透明フィルムを貼り合わせ、カラーやデザインを付けられるようにしたものである。
【背景技術】
【０００２】
従来は、市販のアルミホイルを使用している為、銀色一色の無地しか存在しなかった。
【考案の開示】
【考案が解決しようとする課題】
【０００３】
ネイルの施術は、女性が綺麗になる為のものであるが、施術に使用するアルミホイルが銀色一色の無地でデザイン性に欠ける為、イメージが悪くなる。
【０００４】
従来のアルミホイルにデザイン性を追加することで、ネイルサロンのイメージがアップされるとともに、ネイリストが気持ちよく施術できるようになる。
【課題を解決するための手段】
【０００５】
本考案は、あらかじめ使いやすい大きさに裁断したアルミホイルにカラーやデザインを施した透明フィルムを貼り合わせるものである。
【考案の効果】
【０００６】
ネイルの施術に使用するアルミホイルのデザイン性をアップすることで、ネイルサロンのイメージアップやネイリストのモチベーションアップが図れる。
【考案を実施するための最良の形態】
【０００７】
透明フィルム１とアルミホイル２を９ｃｍ角に裁断する。
【０００８】
透明フィルム１の裏面にカラーやデザインを施す。
【０００９】
透明フィルム１とアルミホイル２を貼り合わせる。
【実施例１】
【００１０】
透明フィルム１にカラーインク３でネイルサロンのロゴを塗布する。
【図面の簡単な説明】
【００１１】
【図１】本考案の概略構成を説明する概略構成説明図である。
【図２】本考案の実施例１を説明する概略構成説明図である。
【符号の説明】
【００１２】
１  透明フィルム１
２  アルミホイル２
３  カラーインク３
【図１】
0003140708.tif 000003
【図２】
0003140708.tif 000004
(57)【要約】【課題】  小面積の板材より接合箇所なしで切込みと折曲げるだけで制作可能なフリーサイズのサンバイザーを提供する。【解決手段】  容易に切断可能な任意形状の板材の表面に表示した切込線を切断し、山折線、谷折線の表示に従って折り曲げることによって形成されることを特徴とするフリーサイズのサンバイザー。【選択図】図２
0003140740.tif 000002
【実用新案登録請求の範囲】
【請求項１】
容易に切断可能な任意形状の板材の表面に表示した切込線を切断し、山折線、谷折線の表示に従って折り曲げることによって形成されることを特徴とするフリーサイズのサンバイザー。
【考案の詳細な説明】
【技術分野】
【０００１】  本考案は、小面積の板材より接合箇所なしで切込みと折曲げだけで制作可能なフリーサイズのサンバイザーに関するものである。
【背景技術】
【０００２】  従来は、のりしろを接着材料により貼り合わせて制作するか、一枚でおさめるには、細長い不定形の板材より制作し、制作には接着材料や輪ゴムを必要としていた。
【考案の開示】
【考案が解決しようとする課題】
【０００３】  そのために次のような問題点があった。
（イ）切断箇所が多く、接合部など無駄が多くゴミも出ていた。
（ロ）貼り付けの場合は接着面が乾くまで時間がかかり強度にも不安があった。
（ハ）制作に際し、接着材料、輪ゴム等が必要となりコスト面や廃棄時の環境面に問題があった。
（ニ）細長い不定形の板体からの制作は小ロットでの印刷ではコストが高くついた。
本発明は以上の問題点を解決するためになされたものである。
【課題を解決するための手段】
【０００４】  上記問題点を解決するため本考案は、容易に切断可能な任意形状の板材の表面に表示した切込線を切断し、山折線、谷折線の表示に従って折り曲げることによって形成されることを特徴とするフリーサイズのサンバイザーである。従って、中央部につばの周縁となるように表示された略半円弧状の切込線と、この切込線の両端部を結ぶように表示された緩やかなアーチ状の谷折線及びこの谷折線よりもやや急なアーチ状の山折線とで形成されるつば部と、前記アーチ状の谷折線の下部に位置する額あて部及びその補強部と、前記切込線の外側に放射状に一定間隔で交互に表示された複数の山折線と谷折線で形成されるバンド部及びその補強部から構成される。
【考案の効果】
【０００５】  本考案は、小面積の板材より接合箇所なしで切込みと折曲げだけでフリーサイズのサンバイザーが制作できるので接合材料なしに低コストで、容易にフリーサイズのサンバイザーが制作可能となる。
【考案を実施するための最良の形態】  以下、本考案の実施の形態について説明する。
横長に置いたＢ５〜Ａ４の厚紙の中央やや上部につば部がくるよう、つばの周縁となるような略半円弧状の切込線を表示し、この切込線の両端部を結ぶように緩やかなアーチ状の谷析線及びこの谷折線よりもやや急なアーチ状の山折線を表示する。前記切込線の両端を紙の下端まで延長するバンド部との境界となる谷折線を表示する。額あて部の左右上端となる２点を、前記切込線の両端より適宜内側かつ、紙の下端にとり、前記切込線の両端と結び山折線を表示する。紙の左右上端に適宜補強部を残して、バンド部となる放射状の山折り谷折りの複数個の折り返し線表示する。以上が本考案の構成になる。
図１のように、つば部（１）の周縁となる略半円弧状の切込線（２）を切り、その両端を結ぶアーチ状の谷折線（３）、山折線（４）をそれぞれ谷折り、山折りする。次に額あて部（５）を形成する部分の山折り線（６）を山折りし、バンド部との境界となる谷折線（７）を谷折りする。バンド部（１１）の補強部の山折線（１０）を山折りし、つばの反対側に返してから放射状の山折り谷折りの複数個の折り返し線（８）、（９）を折ることによりフリーサイズのサンバイザーとなる。
【図面の簡単な説明】
【０００７】
【図１】  本考案の平面図
【図２】  本考案の使用状態を示す斜視図
【符号の説明】
【０００８】  １．つば部
２．切込線
３．谷折線
４．山折線
５．額あて部
６．山折線
７．谷折線
８．山折線
９．谷折線
１０．山折線
１１．バンド部
【図１】
0003140740.tif 000003
【図２】
0003140740.tif 000004
(57)【要約】【課題】  本考案は、ケースへの小型ＬＥＤチップの取着が簡易である上、ウェッジへのリードの折曲も簡単確実で省力的に組立てできる小型ＬＥＤランプを提供すること。【解決手段】  ウェッジタイプのケース１に小型ＬＥＤチップ２が複数配設されて成る小型ＬＥＤランプにおいて、  前記ケース１の胴部１ａの上端にウェッジ１ｂの両傾斜面１ｂａに沿う方向で、それぞれ内面に平行面を有して対向する突縁１ｄが立設される。  また、前記ケース１の胴部１ａに前記突縁１ｄの内面に平行な平行面が形成されたものや、前記平行面に加えて該平行面と直角な直角平行面を有して外郭矩形に形成されたものでも提供される。【選択図】図６
0003140731.tif 000002
【実用新案登録請求の範囲】
【請求項１】
ウェッジタイプのケースに小型ＬＥＤチップが複数配設されて成る小型ＬＥＤランプにおいて、
前記ケースの胴部の上端にウェッジの両傾斜面に沿う方向で、それぞれ内面に平行面を有して対向する突縁を立設して成る小型ＬＥＤランプ。
【請求項２】
前記ケースの胴部に前記突縁の内面に平行な平行面が形成されて成る請求項１記載の小型ＬＥＤランプ。
【請求項３】
前記ケースの胴部が、前記平行面に加えて該平行面と直角な直角平行面を有して外郭矩形に形成されて成る請求項１記載の小型ＬＥＤランプ。
【考案の詳細な説明】
【技術分野】
【０００１】  本考案は、主として自動車のメータ類の照明に使用される小型ＬＥＤランプに関する。
【背景技術】
【０００２】  従来から提供されている自動車のメータ類の照明に用いられる小型ＬＥＤランプは、ウェッジタイプのケースの上端に小型ＬＥＤチップを単に載置して取着するものであるため、ウェッジへのリードの折り曲げ面（傾斜面）に対する小型ＬＥＤチップの向きを整列するのに多くの手間を要する上、ウェッジにリードを固定する際には、小型ＬＥＤチップがリードの曲げ方向の反対側にずれ動き、固定にも手間が掛かるものであった。
【特許文献１】  なし
【考案の開示】
【考案が解決しようとする課題】
【０００３】  本考案は上記実情に鑑みて、ケースへの小型ＬＥＤチップの取着が簡易である上、ウェッジへのリードの折曲も簡単確実で省力的に組立てできる小型ＬＥＤランプを提供するものである。
【課題を解決するための手段】
【０００４】  本考案の請求項１に記載した小型ＬＥＤランプは、ウェッジタイプのケースに小型ＬＥＤチップが複数配設されて成る小型ＬＥＤランプにおいて、
前記ケースの胴部の上端にウェッジの両傾斜面に沿う方向で、それぞれ内面に平行面を有して対向する突縁を立設して成る。
また、請求項２に記載した小型ＬＥＤランプは、請求項１に記載した小型ＬＥＤランプにおいて、前記ケースの胴部に前記突縁の内面に平行な平行面が形成されて成る。
さらに、請求項３に記載した小型ＬＥＤランプは、請求項１に記載した小型ＬＥＤランプにおいて、前記ケースの胴部が、前記平行面に加えて該平行面と直角な直角平行面を有して外郭矩形に形成されて成る。
【考案の効果】
【０００５】  以上のように、本考案の小型ＬＥＤランプによれば、ウェッジの傾斜面に沿う方向に突縁が立設され、その内面に対向する平行面が形成されるから、小型ＬＥＤチップのケースへの取付けにおいて、該チップを簡単に整列できるからその取付けが極めて簡易となる上、リードを折り曲げる際の外力には前記平行面で抗することができるから、リードの折曲も簡単確実で省力的になされ、組立て時のコストを大幅に削減できる効果がある。
【考案を実施するための最良の形態】
【０００６】  本考案におけるケースの胴部は、外郭円形にしてウェッジの両傾斜面に沿う方向に立設した突縁の内面に、それぞれ該傾斜面に平行な平行面を有するものから、外面に両突縁の内面と平行な平行面を有するものや、該平行面に加えてそれに直角な直角平行面を有して外郭形状が矩形のものまで提供される。
【実施例】
【０００７】  本考案の小型ＬＥＤランプＡについて実施例に基づき説明すると、図１乃至図４に示すように、ケース１は角型（矩形の一形態）の胴部１ａと下方のウェッジ１ｂと前記胴部１ａに収まる外径の円筒部１ｃとから成り、該角型の対向する各辺はそれぞれウェッジ１ｂの両傾斜面１ｂａとそれに直角な両直角面１ｂｂに沿って配設され、かつ、両傾斜面１ｂａに沿う各辺の上端には、それぞれ僅かな高さで該傾斜面１ｂａに平行な平行面を有する突縁１ｄが立設される。そして、胴部１ａの内方には円形の穴が前記円筒部１ｃの内部に連通して設けられ、該円筒部１ｃの底面からウェッジ１ｂの下端に向けて両傾斜面１ｂａに沿う方向に小径の挿通孔１ｅが２個貫設されて成る。【０００８】  このようにして成るケース１の上端には、図５、図６に示すように、小型ＬＥＤチップ２が３個その長手方向の両端辺２ａが両突縁１ｄの内面の平行面に位置決めされて収められ、各小型ＬＥＤチップ２の相互間のリードが電気的に接続され、両端のアノード側リード２ｂとカソード側リード２ｃがそれぞれ前記挿通孔１ｅに挿通されてウェッジ１ｂの下端に延出され、一方が一面の傾斜面１ｂａに折曲され、他方が他面の傾斜面１ｂａに折曲されてそれぞれ前記のリード２ｂ、２ｃが配設される。
このように、ケース１に小型ＬＥＤチップ２を取り付ける際には、必然的に小型ＬＥＤチップ２の向きが整列され、しかも、ケース１の外郭が角型で掴み易いため作業がし易く、その上、各リード２ｂ、２ｃのウェッジ１ｂの傾斜面１ｂａへの折り曲げ時には、小型ＬＥＤチップ２に負荷される外力としての折り曲げ反力が突縁１ｄによって支持されるため、ぐらつきもなく安定的に折曲されて組み立てできるのである。なお、小型ＬＥＤチップ２の下面はケース１の胴部１ａの突縁１ｄを除く上端に載置されて、その上下方向が位置決めされる。【０００９】  このように、本考案の小型ＬＥＤランプＡは、ケース１への小型ＬＥＤチップ２の取付け組立てが極めて簡易となり、製造時の大幅なコスト削減が図られ、安価にして自動車のメータ類を照明するメータ照明やスイッチパネル照明などに提供される。
【産業上の利用可能性】
【００１０】  本考案によれば、ケースに対する小型ＬＥＤチップの取付け時の位置決めが容易である上、リード折り曲げ時の支持が確実になされるから、組立て作業が省力化され、製造時の大幅なコスト削減が達成され、小型ＬＥＤランプの製造業界に多大な貢献をするものである。
【図面の簡単な説明】
【００１１】
【図１】本考案の小型ＬＥＤランプＡに用いるケース１の平面図。
【図２】図１の正面図。
【図３】図２の何れか一方の側面図。
【図４】図１の底面図。
【図５】本考案の小型ＬＥＤランプＡの平面図。
【図６】図５の正面図。
【符号の説明】
【００１２】１  ケース
１ａ  胴部
１ｂ  ウェッジ
１ｃ  円筒部
１ｂａ  傾斜面
１ｂｂ  直角面
１ｄ  突縁
１ｅ  挿通孔
２  小型ＬＥＤチップ
２ａ  端辺
２ｂ  アノード側リード
２ｃ  カソード側リード
Ａ  小型ＬＥＤランプ
【図１】
0003140731.tif 000003
【図２】
0003140731.tif 000004
【図３】
0003140731.tif 000005
【図４】
0003140731.tif 000006
【図５】
0003140731.tif 000007
【図６】
0003140731.tif 000008
(57)【要約】【課題】この考案は，器外部の高台の上面に溝を設け，器内部の底に溝に通じる穴を設けた，歯ブラシ立て器に関するものである。【解決手段】器外部の高台（１）上面に溝（２）を設け，器内部の底に溝（２）に通じる穴（３）を設ける。【選択図】図２
0003140737.tif 000002
【実用新案登録請求の範囲】
【請求項１】
（イ）器の高台（１）の上面に溝（２）を設ける。
（ロ）器の内部の底に溝（２）に通じる穴（３）を設ける。
（ハ）器の内部底の水滴が穴（３）を流れて溝（２）に溜まる仕組みを設ける。
以上の如く成型された、歯ブラシ立て器
【考案の詳細な説明】
【考案の詳細な説明】
従来，歯ブラシはコップ，グラス等の底のある器に立てられており，歯ブラシに付いた水滴が器内部の底に溜まり不衛生であった。  本案は，その欠点を除くため，器内部の底に穴を設けることで，その穴を通った水滴が溝に溜まり，自然乾燥させる仕組みを考案したものである。
【図面の簡単な説明】
【図１】本考案の斜視図
【図２】本考案の正面図
【図３】本考案の断面図（Ａ）
【図４】本考案の断面図（Ｂ）
【図５】本考案の断面図（Ｃ）
【符合の説明】
１は高台
２は溝
３は穴
【図１】
0003140737.tif 000003
【図２】
0003140737.tif 000004
【図３】
0003140737.tif 000005
【図４】
0003140737.tif 000006
【図５】
0003140737.tif 000007
【手続補正書】
【提出日】平成19年12月29日(2007.12.29)
【手続補正１】
【補正対象書類名】図面
【補正対象項目名】全図
【補正方法】変更
【補正の内容】
【図１】
0003140737.tif 000008
【図２】
0003140737.tif 000009
【図３】
0003140737.tif 000010
【図４】
0003140737.tif 000011
【図５】
0003140737.tif 000012
(57)【要約】【課題】  高天井灯の電球交換を誰でも簡単かつ安全に行なえる、簡単で安価な装置を提供する。【解決手段】  移動装置１に伸縮自在の支柱２、位置確認のための監視装置３および電球４を支持するホルダ５、さらにトルクリミッタ６を備え、正逆転可能な回転装置７を設けた高天井灯の電球交換装置。【選択図】図１
0003140738.tif 000002
【実用新案登録請求の範囲】
【請求項１】
平面の移動が可能な移動装置（１）に伸縮自在の支柱（２）を設け、支柱２の先端付近に位置確認のための監視装置（３）、電球（４）を支持するホルダ（５）およびトルクリミッタ（６）を備え、ホルダ５およびトルクリミッタ６を正逆転可能とする回転装置（７）を設けた高天井灯の電球交換装置。
【考案の詳細な説明】
【技術分野】
【０００１】  本考案は、高天井灯の電球交換装置に関するものである。
【背景技術】
【０００２】  天井の高い工場において、天井からの照明機器としては以前は水銀灯あるいは最近ではメタルハライドあるいはセラミックメタルハライド灯が一般的である。  電球の種類は色々あり、寿命になると電球の交換が必要であるが、高い位置にあるため高所作業車で人が交換したり、ポールの先端にホルダを取付けた簡単な道具で電球を保持し、人がポールを支えながら回して電球を着脱し交換している。  あるいは電動の昇降装置を個々の照明機器に取付けることもあるが、照明機器の価格からみると高価なものであり、最近は電球の長寿命化が図られており交換頻度も低く個数が多いので、コスト的に考えても困難で、一般的に普及していない。
【考案の開示】
【考案が解決しようとする課題】
【０００３】  普通、工場では高所作業車を所有していないので、わざわざ電球交換のために手配する必要があり費用がかかる上に、車が移動し作業するスペースも必要なので、電球が切れる度に交換するわけにいかない。  また簡単な道具の場合、低い所はともかく高い場合にはポールの重量も重く、支えながら回転させる電球の脱着作業は大変な作業で危険でもあり、非力な人や女性では難しい。  また、電動の昇降装置を個々の照明機器に取り付け、遠隔操作して真下に下ろす場合もあるが個々の照明機器に必要であり、価格が高く使用頻度が低いこともあり、なかなか一般的には普及していない。  安価な上に危険もなく簡単に電球が切れる度に交換できる装置を提供する。
【課題を解決するための手段】
【０００４】  概念図１に基づき説明する。  平面の移動が可能な移動装置１に電球４の高さにより長さを変えられる伸縮自在の支柱２を固定する。  支柱２の先端付近に電球４を支持するホルダ５、電球の位置に合わせ支柱の長さと位置を調整する為の監視装置３および電球４の着脱トルクを制限するべくトルクリミッタ６を備え、ホルダ５およびトルクリミッタ６を正逆転するための回転装置７を設ける。
【考案の効果】
【０００５】  本考案により、人は移動装置１を交換すべき電球４の真下に移動させ、支柱２を必要な長さに監視装置３で見ながら伸ばし、電球４をホルダ５でしっかり支持し、回転装置７で電球を回転させて外す。  強く回し過ぎて電球を破損しないようにトルクリミッタ６でトルク制限する。  また新しい電球に替える場合も強く締め過ぎないようにトルクリミッタ６が働く。  このように簡単で安価な装置１台で多数の電球の脱着が簡単に行なえる。
【考案を実施するため最良の形態】
【０００６】  装置全体の重量も軽いので、移動装置１としては人が押して行く簡単な手押し台車でも良いし、バッテリフォークのように動力の付いたものにし必要に応じて着脱しても良い。
伸縮自在な支柱２の伸縮は電動でも良いし手動でも良いが、ホルダ５の先端に取付けた監視装置３で長さと位置を目視し調整する。  電球４の種類や容量によって大きさや形状が異なり、ホルダ５は市販品で種類があるので取り替えても良い。  ホルダ５を電球４に強く押しつけて過ぎて電球を破損しない為にクッション性を持たせる。  トルクリミッタ６は回転のトルクが大きすぎて電球を破損しないように設ける。  回転装置７は電動モータ駆動でも良いし、回しやすくハンドルをつけた手動でも良いし、支柱２の先端部のホルダ５とトルクリミッタ６を回すのが良いが、支柱ごと回すことも可能。  以下、本考案の実施例を具体的に説明する。
【実施例】
【０００７】  図１に概念図を示す。  ここでは移動装置１として手押し台車とし、回転装置７は電動としており、人が押して交換すべき電球４の真下まで行き停止させる。  電球４を外す場合は、支柱２を伸ばし監視装置３で電球４の位置を見て停止する。  緩衝機能を持たせたホルダ５で電球４を支持するが、押しつけ過ぎて破損しないようにしている。  ホルダ５を回転装置７で回転させ電球４を外すが、トルクリミッタ６で強く回し過ぎないようトルク制限する。  交換すべき電球４が外れたら支柱２を縮めて回収する。  新しい電球を取付ける場合にはホルダ５に電球をセットし、支柱２を伸ばし監視装置３で電球の取付位置を見て停止する。  電球４のねじ込み部を合わせる。  ホルダ５を回転装置７で回転させ電球４をねじ込むが、トルクリミッタ６で強く回し過ぎないようにする。  電球４がねじ込まれたら支柱２を縮める。
【産業上の利用可能性】
【０００８】  本考案の装置は簡単で安価で力も要らないので、女性でも安全に電球の取り替え作業が行なえるので、非常に有効で、利用の可能性は極めて高い。
【図面の簡単な説明】
【０００９】
【図１】  本考案の概念図である。
【符号の説明】
【００１０】  １  移動装置
２  支柱
３  監視装置
４  電球
５  ホルダ
６  トルクリミッタ
７  回転装置
【図１】
0003140738.tif 000003
(57)【要約】【課題】  赤外線センサーによって学校全包囲を監視する防犯装置を提供する。【解決手段】  学校の敷地全周にフェンスを設け、このフェンスの頂部に敷地内方に向けて赤外線センサーを取付け、感知した信号を大音響のブザーによって近隣周囲に知らせる。【選択図】図１
0003140736.tif 000002
【実用新案登録請求の範囲】
【請求項１】
学校の敷地Ｇ全周に雨除け部（２）を頂部に設けたフェンス（１）の、該雨除け部（２）の内側に、敷地内側に向って全周に赤外線センサー（３）を設け、該センサー（３）の感知によって作動するブザーを設けたことを特徴とした赤外線利用の学校防犯装置。
【考案の詳細な説明】
【技術分野】
【０００１】  本考案は、学校内に侵入する不審者を赤外線センサーによって感知し、大音響のブザーによって知らせる赤外線利用の学校防犯装置に関する。
【背景技術】
【０００２】  従来屋内に侵入する侵入者を監視カメラ等で監視することや、窓や施錠などの破壊から作動する電子リレーにより通報する防犯装置は一般に知られている。
【特許文献１】  特開平１０−１１６７０号公報
【特許文献２】  特開２００５−２７６１４３号公報
【考案の開示】
【考案が解決しようとする課題】
【０００３】  前記公知例は、特許文献１はトラックの防犯装置であって、赤外線センサーによってトラック荷台に近づく不審者を感知するもので、また特許文献２は自宅に赤外線センサーを設けた防犯装置が記載されている。しかし最近では学校内に不審者が侵入して事件を起して世間を騒がせ色々な問題が生じている。
【課題を解決するための手段】
【０００４】  考案者はこの小・中学校等への不審者によって起る悲惨な事件に心を傷め、この対策として学校の敷地全周に赤外線センサーを張り廻らすことを考え、これによって前記、小・中学校での外部からの侵入者による凶悪事件の防止につとめることとする。【０００５】  本考案は、学校の敷地全周に赤外線センサーを張り廻らせることによって不審者が近づけないように学校内を防衛する。この手段としては敷地全体にフェンスに赤外線センサーを設けるが、この赤外線センサーはフェンスの頂面から敷地の内側に設けることとし、このためフェンスの外側に近寄るものには反応しないようにする。これは人間ばかりでなく、犬や猫までもフェンスに近づくものに何にでも反応してブザーが鳴っても困るからである。
【考案の効果】
【０００６】  本考案は前述のように学校の敷地内の周囲全体に赤外線センサーを張り廻らすことによって、完全な防護が出来上るもので、児童生徒を学校内で護ることが出来る。このため家庭では安心して子供を学校に通わせることが出来、学校としても安心して生徒を導くことができ、この効果は特に顕著である。
【考案を実施するための最良の形態】
【０００７】  添付図面により本考案を実施するための最良の形態を説明すると、図１は学校全体の平面図であり、図２はフェンスと赤外線センサーの位置関係を示す詳細図で、（イ）はブロック塀の側面図であり、（ロ）は金網フェンスの側面図を示している。
【実施例】
【０００８】  本考案の実施例を説明すると、図１は学校全体を表わす平面図であって、学校敷地全体をフェンス（１）で囲んであり、この中には校舎やプール、と広いグランドＧが示されている。そして校舎の適所には後述するブザー装置が取りつけてあって非常の時には大音響が発生して異常を知らせる。【０００９】  図２はフェンス（１）の側面図であって、イ図はブロック塀を示し、ロ図は金網のフェンスを示している。このフェンス（１）には雨除け用の屋根（２）が設けてあり、図１にあっては三角形のブロックが置載してあって雨除けの頂部（２）とし、この三角形の隅の空間の敷地の内側に赤外線センサー（３）を設置し、ロ図にあっては金網のフェンス（１）の頂部（２）の枠体の隅の空間の内側に赤外線センサー（３）を配置してある。このフェンスは図示のブロック塀や金網に限ることなく、外の板塀や仕切板等でもよいが、不審者だけでなく、近よる犬や猫などを考えて仕切りとなる高さが必要で、しかもフェンスの頂部（２）の敷地に向って内側に設けることが必要である。【００１０】  本考案の赤外線センサー（３）を設けた学校全敷地の周囲全周に設けた防犯装置は、大音響を発生するブザーと連動させることによって、学校内はもとより近隣にまでも異常を知らせるため、不審者の侵入が阻止できる。【００１１】  これによって学校内で混乱があっても近くの住民が警察に連絡が可能で学校内での事件を未然に防止できる。本考案においては学校についてのみ例示したが、学校に限ることなく、大きな工場や施設にも適用できることは勿論である。
【産業上の利用可能性】
【００１２】  前述のように本考案の赤外線防犯装置は、学校の敷地全周に赤外線センサーを設けたもので、侵入者を完全に把握でき、しかも大音響のブザーによって学校内はもとより広く周域に異常を知らせることが出来るため、この装置の利用度合は大きく、子供を預かる学校にあってもまた子供を預ける家庭であっても大きな安心を与えるものである。
【図面の簡単な説明】
【００１３】
【図１】  学校敷地の平面図
【図２】  フェンスへの実施例図
【符号の説明】
【００１４】  （１）…フェンス
（２）…フェンスの頂部
（３）…赤外線センサー
Ｇ…学校のグランド
【図１】
0003140736.tif 000003
【図２】
0003140736.tif 000004
(57)【要約】【課題】白内障手術の成功により視力が急回復することは大変喜ばしいことではあるが、そのために思わぬ弊害が起きることがある。視力のアンバランスが生じ目まい・ストレス・疲れ・高血圧等見過ごせない症状になる場合もある。この弊害を和らげ徐々に慣らしていくことは大きな課題である。【解決手段】透明又は淡い色のサングラスの片面又は両面に遮光体を貼り付けたメガネを一定期間着用して明るさを遮り、少しずつ慣らして行けば手術の目的を達成することができる。【選択図】  図１
0003140789.tif 000002
【実用新案登録請求の範囲】
【請求項１】
透明又は淡い色のサングラスの片面又は両面に網目状の遮光体を粘着糊で貼り付けた遮光メガネ。
【請求項２】
請求項1の遮光メガネに貼り付けるための粘着糊を施した網目状の遮光体シール。
【考案の詳細な説明】
【技術分野】
【０００１】
本考案は白内障手術後、視力が急回復した目ともう一方の目とのアンバランスの為に生じる疲れ・目まい・イライラ・高血圧等の思わぬ障害に対応するため、一定期間着用して徐々に慣らして行く為の遮光メガネである。
【背景技術】
【０００２】
従来白内障患者用には高度な遮光レンズ等が開発されてはいるが、ほとんど実用化されていない。手術の技術が進んだ今は簡単に手術が行われている。その後のケアは目薬とサングラスを掛けるぐらいである。手術直後アルミ製の穴の開いたカバー図３を紙テープで固定されるが、これも一両日間だけである。
【考案の開示】
【考案が解決しようとする課題】
【０００３】
一般に白内障手術は視力の弱いほうの目から行う為、その目が急に見えるようになると、これ迄とは逆の目を主力にして見るようになりアンバランスが生じ、思わぬ弊害が生じることがある。患者は特に高齢者が多いために疲れ・目まい・高血圧等がひどいこともある。（一昨年手術を行った私の妻の場合、右目が見えすぎて車の運転はもちろんのこと歩くことさえも怖がり、血圧が２００以上になり挙句鼻血が出て止まらなくなり、２度も救急車の世話になった）個人差こそあれ、このアンバランスに慣れるまでの一定期間苦労することは確かであり、この弊害を少しでも取り除くことは大きな課題である。
【課題を解決するための手段】
【０００４】
透明又は淡い色のサングラスの左右どちらかの面又は左右両面に網目状の遮光体を施した遮光メガネを一定期間着用して直射光を和らげ、上述のようなアンバランスによる様々な弊害を徐々に解消してゆく。両目同時手術の場合は両面用を使用する。
【考案の効果】
【０００５】
請求項２の遮光ネットをシール状にしたものは好みのサングラスに貼って使用し、目的達成後は剥がしてサングラスとして使用できる。
【０００６】
上述したように本考案による遮光メガネの着用により、白内障手術後の急回復した視力によるアンバランスのため生じたストレスやその他の障害を和らげることができれば手術の恩恵を十二分に享受することになる。
【０００７】
又手術後の見え過ぎによる目まいや急激な血圧上昇による障害等、二次的な事故を防ぎ快適な状態で手術の目的を果たすことが出来る効果は大きい。
【考案を実施するための最良の形態】
【０００８】
この遮光メガネは右目用・左目用  図1・両目用の３通りで、ネット類を粘着糊で貼り付ける。又はネットをシール状にしたもの  図２のＢは好みのメガネに張り付け余分な部分は鋏でカットして使用する。いずれも目的を果たした後、剥がすことにより普通のサングラスとして使用することができる。
【０００９】
網目状遮光体は紫外線の吸収が大きい暗色系統の色を使用する。
【図面の簡単な説明】
【００１０】
【図１】遮光メガネ斜視図左目用
【図２】レンズと粘着糊付き遮光体のシール正面図
【図３】紙テープで貼られた保護カバー正面図
【符号の説明】
【００１１】
（Ａ）メガネのレンズ正面図
（Ｂ）粘着糊付き遮光体のシール  正面図
（Ｃ）アルミ製保護カバー正面図
（Ｄ）固定用紙テープ
【図１】
0003140789.tif 000003
【図２】
0003140789.tif 000004
【図３】
0003140789.tif 000005